Podtech/llm-jp-corpus-v4-ja_patent huggingface dataset:
【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】
遊戯者の操作によりゲーム空間内で移動体を移動させて目標に到達させ、該移動体が該目標に到達したときの到達態様の優劣に応じてゲーム成績を競うゲーム装置であって、
前記目標として一つ以上の目的地決定要素を提示する提示手段と、
前記遊戯者が前記一つ以上の目的地決定要素の内の一つを選択した際に該遊戯者の技量の判定を行う技量判定手段と、
判定された前記遊戯者の技量、及び前記選択された目的地決定要素に対して定められた所定のゲーム時間に基づいて、該遊戯者が前記移動体を該選択された目的地決定要素に対して定められた目的地まで移動させるための該遊戯者の持ち時間を決定する持ち時間決定手段と、
前記持ち時間、及び前記移動体が前記目的地に到達するまでに要した時間に基づいて、前記到達態様の優劣を判定して前記ゲーム成績を決定する成績判定手段と、
を備えるゲーム装置。
【請求項２】
前記成績判定手段は、前記到達態様の優劣について前記持ち時間を表示手段に表示させる持ち時間表示制御手段を更に有するものである、
請求項１記載のゲーム装置。
【請求項３】
前記移動体とは別に前記ゲーム空間内を移動する他の移動体を制御する他移動体制御手段と、
前記移動体と前記他の移動体との競合が行われたか否かを判定し、該競合についての判定結果に基づいてチップを付与するチップ付与手段と、
を更に備えており、
前記成績判定手段は、前記到達態様に前記チップの付与された量を加味して優劣を判定して前記ゲーム成績を決定するものである、
請求項１又は２記載のゲーム装置。
【請求項４】
前記チップの累積量を表示手段に表示させるチップメータ表示制御手段を更に備える、
請求項３記載のゲーム装置。
【請求項５】
前記ゲームの全体の残り時間をカウントするタイムメータと、
前記ゲームの全体の残り時間が所定の閾値に達したことによりゲームを終了させるゲーム終了制御手段と、
を更に備える請求項１〜４のいずれか一項に記載のゲーム装置。
【請求項６】
前記移動体が前記目的地に到達した際、前記優劣判定の結果に基づいて前記ゲームの全体の残り時間に対する追加時間を算出し、前記ゲームの全体の残り時間に該追加時間を加算するタイムメータ回復手段を更に備える、
請求項５記載のゲーム装置。
【請求項７】
前記提示手段は、前記ゲーム空間の少なくとも一部として道路を模したものを提示し、前記移動体としてタクシーを模したものを提示し、かつ前記一つ以上の目的地決定要素としてタクシーの客を模したものを提示するものである、
請求項１〜６のいずれか一項に記載のゲーム装置。
【請求項８】
遊戯者の操作によりゲーム空間内で移動体を移動させて目標に到達させ、該移動体が該目標に到達したときの到達態様の優劣に応じてゲーム成績を競うゲーム方法であって、
コンピュータに、
前記目標として一つ以上の目的地決定要素を提示する提示ステップと、
前記遊戯者が前記一つ以上の目的地決定要素の内の一つを選択した際に該遊戯者の技量の判定を行う技量判定ステップと、
判定された前記遊戯者の技量、及び前記選択された目的地決定要素に対して定められた所定のゲーム時間に基づいて、該遊戯者が前記移動体を該選択された目的地決定要素に対して定められた目的地まで移動させるための該遊戯者の持ち時間を決定する持ち時間決定ステップと、
前記持ち時間、及び前記移動体が前記目的地に到達するまでに要した時間に基づいて、前記到達態様の優劣を判定して前記ゲーム成績を決定する成績判定ステップと、
を実行させるゲーム方法。
【請求項９】
前記成績判定ステップは、前記到達態様の優劣について前記持ち時間を表示手段に表示させる持ち時間表示制御ステップを更に有する、
請求項８記載のゲーム方法。
【請求項１０】
コンピュータに、
前記移動体とは別に前記ゲーム空間内を移動する他の移動体を制御する他移動体制御ステップと、
前記移動体と前記他の移動体との競合が行われたか否かを判定し、該競合についての判定結果に基づいてチップを付与するチップ付与ステップと、
を更に実行させ、
前記成績判定ステップにおいては、前記到達態様に前記チップの付与された量を加味して優劣を判定して前記ゲーム成績を決定する、
請求項８又は９記載のゲーム方法。
【請求項１１】
コンピュータに、
前記チップの累積量を表示手段に表示させるチップメータ表示制御ステップを更に実行させる、
請求項１０記載のゲーム方法。
【請求項１２】
コンピュータに、
前記ゲームの全体の残り時間をカウントするステップと、
前記ゲームの全体の残り時間が所定の閾値に達したことによりゲームを終了させるゲーム終了制御ステップと、
を更に実行させる、
請求項８〜１１のいずれか一項に記載のゲーム方法。
【請求項１３】
コンピュータに、
前記移動体が前記目的地に到達した際、前記優劣判定の結果に基づいて前記ゲームの全体の残り時間に対する追加時間を算出し、前記ゲームの全体の残り時間に該追加時間を加算するタイムメータ回復ステップを更に実行させる、
請求項１２記載のゲーム方法。
【請求項１４】
前記提示ステップにおいては、前記ゲーム空間の少なくとも一部として道路を模したものを提示し、前記移動体としてタクシーを模したものを提示し、かつ前記一つ以上の目的地決定要素としてタクシーの客を模したものを提示する、
請求項８〜１３のいずれか一項に記載のゲーム方法。
【請求項１５】
遊戯者の操作によりゲーム空間内で移動体を移動させて目標に到達させ、該移動体が該目標に到達したときの到達態様の優劣に応じてゲーム成績を競うゲームのプログラムを記録したコンピュータ読み取り可能な記録媒体であって、
コンピュータに、
前記目標として一つ以上の目的地決定要素を提示する提示機能と、
前記遊戯者が前記一つ以上の目的地決定要素の内の一つを選択した際に該遊戯者の技量の判定を行う技量判定機能と、
判定された前記遊戯者の技量、及び前記選択された目的地決定要素に対して定められた所定のゲーム時間に基づいて、該遊戯者が前記移動体を該選択された目的地決定要素に対して定められた目的地まで移動させるための該遊戯者の持ち時間を決定する持ち時間決定機能と、
前記持ち時間、及び前記移動体が前記目的地に到達するまでに要した時間に基づいて、前記到達態様の優劣を判定して前記ゲーム成績を決定する成績判定機能と、
を実現させるためのプログラムを記録したコンピュータ読み取り可能な記録媒体。
【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】 
【請求項１】  キャラクタ情報を販売するためのゲーム装置であって、
代価の支払いを受け付ける手段と、
代価が支払われた場合に、キャラクタ情報を携帯型情報記憶装置に書き込むための処理を行う書き込み処理手段とを含み、
前記書き込み処理手段が、
複数のキャラクタ情報の中からランダムに又は所与の条件下でランダムに選別された少なくとも１つのキャラクタ情報を、携帯型情報記憶装置に書き込むための処理を行うことを特徴とするゲーム装置。
【請求項２】  請求項１において、
携帯型情報記憶装置に既に記憶されている情報に基づいて、該携帯型情報記憶装置に書き込むキャラクタ情報が選別されることを特徴とするゲーム装置。
【請求項３】  請求項２において、
携帯型情報記憶装置に未だ記憶されていないキャラクタ情報が書き込まれるように、キャラクタ情報が選別されることを特徴とするゲーム装置。
【請求項４】  請求項２又は３において、
携帯型情報記憶装置に既に記憶されている複数のキャラクタ情報の組み合わせに基づいて、キャラクタ情報が選別されることを特徴とするゲーム装置。
【請求項５】  請求項２乃至４のいずれかにおいて、
プレーヤの個人情報に基づいて、キャラクタ情報が選別されることを特徴とするゲーム装置。
【請求項６】  請求項５において、
前記個人情報は、プレーヤのプレイ回数情報であることを特徴とするゲーム装置。
【請求項７】  キャラクタ情報を印刷するためのゲーム装置であって、
代価の支払いを受け付ける手段と、
代価が支払われた場合に、携帯型情報記憶装置に書き込まれているキャラクタ情報を読み出すための処理を行う読み出し処理手段と、
読み出されたキャラクタ情報を印刷物に印刷するための処理を行う印刷処理手段とを含むことを特徴とするゲーム装置。
【請求項８】  請求項１乃至７のいずれかにおいて、
携帯型情報記憶装置へのキャラクタ情報の書き込み処理時間又は印刷物へのキャラクタ情報の印刷処理時間を利用して、プレーヤに所与のゲームをプレイさせるためのゲーム演算を行う手段を含むことを特徴とするゲーム装置。
【請求項９】  請求項８において、
プレーヤのゲーム成果に応じて、携帯型情報記憶装置に書き込まれるキャラクタ情報又は印刷物に印刷されるキャラクタ情報を変化させることを特徴とするゲーム装置。
【請求項１０】  請求項１乃至９のいずれかにおいて、
前記ゲーム装置がネットワークに接続されており、前記携帯型情報記憶装置が、家庭用ゲーム装置との間でも情報のやり取りが可能な情報記憶装置であることを特徴とするゲーム装置。
【請求項１１】  ゲーム施設に設置される業務用のゲーム装置であって、
ネットワークを介して情報の通信を行うための通信手段と、
家庭用ゲーム装置との間でも情報のやり取りが可能な携帯型情報記憶装置に対して、ネットワークを介して送られてきた情報を書き込むための処理を行う書き込み処理手段と、
ネットワークを介して受信した情報の携帯型情報記憶装置への書き込み処理時間を利用して、プレーヤに所与のゲームをプレイさせるためのゲーム演算を行う手段とを含むことを特徴とするゲーム装置。
【請求項１２】  ゲーム施設に設置される業務用のゲーム装置であって、
ネットワークを介して情報の通信を行うための通信手段と、
家庭用ゲーム装置との間でも情報のやり取りが可能な携帯型情報記憶装置に対して、ネットワークを介して送られてきた情報を書き込むための処理を行う書き込み処理手段と、
携帯型情報記憶装置に既に記憶されている情報に基づいて、該携帯型情報記憶装置に書き込む情報を選別する選別手段とを含むことを特徴とするゲーム装置。
【請求項１３】  コンピューターにより情報の読み取りが可能であり、キャラクタ情報を販売するための装置に用いられる情報記憶媒体であって、
代価の支払いを受け付けるための情報と、
代価が支払われた場合に、キャラクタ情報を携帯型情報記憶装置に書き込むための処理を行うための情報と、
複数のキャラクタ情報の中からランダムに又は所与の条件下でランダムに選別された少なくとも１つのキャラクタ情報を、携帯型情報記憶装置に書き込むための処理を行うための情報とを含むことを特徴とする情報記憶媒体。
【請求項１４】  コンピューターにより情報の読み取りが可能であり、キャラクタ情報を印刷するための装置に用いられる情報記憶媒体であって、
代価の支払いを受け付けるための情報と、
代価が支払われた場合に、携帯型情報記憶装置に書き込まれているキャラクタ情報を読み出すための処理を行うための情報と、
読み出されたキャラクタ情報を印刷物に印刷するための処理を行うための情報とを含むことを特徴とする情報記憶媒体。
【請求項１５】  コンピューターにより情報の読み取りが可能な情報記憶媒体であって、
ネットワークを介して情報の通信を行うための情報と、
業務用ゲーム装置との間のみならず家庭用ゲーム装置との間でも情報のやり取りが可能な携帯型情報記憶装置に対して、ネットワークを介して送られてきた情報を書き込むための処理を行うための情報と、
ネットワークを介して受信した情報の携帯型情報記憶装置への書き込み処理時間を利用して、プレーヤに所与のゲームをプレイさせるためのゲーム演算を行うための情報とを含むことを特徴とする情報記憶媒体。
【請求項１６】  コンピューターにより情報の読み取りが可能な情報記憶媒体であって、
ネットワークを介して情報の通信を行うための情報と、
業務用ゲーム装置との間のみならず家庭用ゲーム装置との間でも情報のやり取りが可能な携帯型情報記憶装置に対して、ネットワークを介して送られてきた情報を書き込むための処理を行うための情報と、
携帯型情報記憶装置に既に記憶されている情報に基づいて、該携帯型情報記憶装置に書き込む情報を選別するための情報とを含むことを特徴とする情報記憶媒体。
【請求項１７】 キャラクタ情報を販売するためのゲームシステムであって、
代価の支払いを受け付ける手段と、
代価が支払われた場合に、キャラクタ情報をネットワークを介して端末装置に送信するための処理を行う送信手段とを含み、
前記送信手段が、
複数のキャラクタ情報の中からランダムに又は所与の条件下でランダムに選別された少なくとも１つのキャラクタ情報を、端末装置に送信するための処理を行うことを特徴とするゲームシステム。
【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】 プレイヤによって操作される操作部材の基準位置からの相対的な変位に基づく第１の制御信号および前記操作部材の基準位置への復元に伴う第２の制御信号に基づいて、ゲームの内容を制御するゲーム制御手段と、を備えたことを特徴とするゲーム機。
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  複数の図柄からなる図柄列を所定の変動開始条件成立に応じて変動表示した後に停止図柄を表示する図柄表示手段と、前記停止図柄が特定図柄である場合に遊技者に有利な特別遊技状態を発生させる特別遊技状態発生手段とを備えた遊技機において、
前記変動開始条件成立時から前記図柄表示手段における停止図柄の表示までの第１サイクル中の少なくとも一時期に遊技機において行われる第１演出と、その後の前記変動開始条件成立時から前記図柄表示手段における停止図柄の表示までの第２サイクル中の少なくとも一時期に遊技機において行われる第２演出とが所定の規則性をもって行われたとき、前記第２サイクルにおいて前記停止図柄として特定図柄が表示される期待値を第２演出が行われない場合に比べて高めるように構成した遊技機。
【請求項２】  複数の図柄からなる図柄列を所定の変動開始条件成立に応じて変動表示した後に停止図柄を表示する図柄表示手段と、前記停止図柄が特定図柄である場合に遊技者に有利な特別遊技状態を発生させる特別遊技状態発生手段とを備えた遊技機において、
前記変動開始条件成立時から前記図柄表示手段における停止図柄の表示までの第１サイクル中の少なくとも一時期に遊技機において行われる第１演出と、その後の前記変動開始条件成立時から前記図柄表示手段における停止図柄の表示までの第２サイクル中の少なくとも一時期に遊技機において行われる第２演出とが所定の規則性をもって行われたとき、前記第２サイクルにおいて前記停止図柄として特定図柄が表示される期待値を第２演出が行われない場合に比べて高めるように構成しておき、第２サイクルを行う際に第１サイクル時において既に第１演出が行われたか否かを判断し、第１サイクル時において第１演出が行われ且つ第２サイクルで前記停止図柄が特定図柄とされる場合には、第２サイクルにおいて第２演出が行われ易くする一方、第１サイクル時において第１演出が行われ且つ第２サイクルで前記停止図柄が特定図柄とされない場合には、第２サイクルにおいて第２演出が行われ難くするように制御する遊技機。
【請求項３】  前記図柄列の変動開始条件は、少なくとも、図柄作動のための検出が行われる第１開始条件と、既に図柄表示手段において図柄変動中である場合にはその変動が終了したことを条件とする第２開始条件との両者を満たす条件である請求項２記載の遊技機。
【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  複数の図柄からなる図柄列を変動表示した後に停止図柄を表示する図柄表示手段と、前記停止図柄が特定図柄である場合に遊技者に有利な特別遊技状態を発生させる特別遊技状態発生手段とを備えた遊技機であって、
所定の条件の下で前記図柄表示手段において有効となる停止図柄数を変更するようにした遊技機。
【請求項２】  複数の図柄からなる複数の図柄列を変動表示した後に図柄列毎に停止図柄を表示する図柄表示手段と、前記図柄列の停止図柄同士を所定の態様で結合する結合手段と、前記結合手段によって結合された停止図柄の組合せが特定の組合せである場合に遊技者に有利な特別遊技状態を発生させる特別遊技状態発生手段とを備えた遊技機であって、
所定の条件の下で前記結合手段により有効とされる確定図柄結合状態を変更するようにした遊技機。
【請求項３】  前記変更に先立って予告報知を行う予告報知手段を備えた請求項１又は２記載の遊技機。
【手続補正書】
【提出日】平成18年6月7日(2006.6.7)
【手続補正１】
【補正対象書類名】明細書
【補正対象項目名】特許請求の範囲
【補正方法】変更
【補正の内容】
【特許請求の範囲】
【請求項１】  複数個の画像を変動させる変動時の画面構成情報を生成する画像制御手段と、前記画面構成情報を記憶する画面構成情報記憶手段と、前記複数個の画像の画像データが記憶された画像データ記憶手段と、前記画面構成情報と前記画像データとに基づいて、前記変動時の画像を生成する画像生成手段と、前記画像を表示する表示手段とを備える遊技機用画像表示装置において、
前記各画像の変動を各々制御する複数個のタスクが記憶されるタスクバッファ領域（第１の記憶手段）と、前記タスクバッファ領域内の各タスクの開始アドレスおよび最終アドレスが、前記各タスクに基づく各画像の表示の優先順位の順番に応じて記憶されるスプライトチェーン領域（第２の記憶手段）とが設けられた作業情報記憶手段を備え、
前記画像制御手段は、前記スプライトチェーン領域に記憶された前記優先順位の低い側から順番に前記各開始アドレスおよび最終アドレスを参照して、前記タスクバッファ領域内の各タスクを実行することで前記各タスクの開始アドレスから最終アドレスまでの間に書き込まれた画像に基づく画面構成情報を画面構成情報記憶手段へ送り、
前記表示手段に往復揺動して表示される画像が所定端部まで移動するとともに、その画像が変形した後、それが復元されたときにはその画像を違う画像に置き換える図柄画像置換手段を備えていることを特徴とする遊技機用画像表示装置。
【手続補正書】
【提出日】平成18年1月16日(2006.1.16)
【手続補正１】
【補正対象書類名】明細書
【補正対象項目名】特許請求の範囲
【補正方法】変更
【補正の内容】
【特許請求の範囲】
【請求項１】  前面に突設された首部に、回動操作可能な回動部材を挟む握り部分である頭部が装着されて成る操作ハンドルを有するパチンコ機であって、
前記首部が、回動部材の回動軸に対して放射方向において、複数個の部材に分割可能となっていることを特徴とするパチンコ機。
【請求項２】  首部に、内部の部材を嵌め込む部材固定用リブが内設されていることを特徴とする請求項１に記載のパチンコ機。
【手続補正２】
【補正対象書類名】明細書
【補正対象項目名】０００４
【補正方法】変更
【補正の内容】
【０００４】
【課題を解決するための手段】
上記の目的を達成するために、請求項１に記載の発明は、前面に突設された首部に、回動操作可能な回動部材を挟む握り部分である頭部が装着されて成る操作ハンドルを有するパチンコ機であって、前記首部が、回動部材の回動軸に対して放射方向において、複数個の部材に分割可能となっていることを特徴とするものである。
請求項２に記載の発明は、請求項１に記載の発明において、首部に、内部の部材を嵌め込む部材固定用リブが内設されていることを特徴とする。
【手続補正３】
【補正対象書類名】明細書
【補正対象項目名】００１４
【補正方法】変更
【補正の内容】
【００１４】
【発明の効果】
請求項１に記載の発明によって、操作ハンドル内部の故障や交換・配線修理などの処理が迅速に行えるパチンコ機が得られる。また、操作ハンドル首部が分割構造であっても高い強度と安定性を保つことができる。
請求項２に記載の発明によって、首部内にも部材を設置可能である野でパチンコ機本体内部が整理されるばかりでなく、操作ハンドルを電飾するなどの趣向を凝らすことも可能となる。
【手続補正書】
【提出日】平成18年9月4日(2006.9.4)
【手続補正１】
【補正対象書類名】明細書
【補正対象項目名】特許請求の範囲
【補正方法】変更
【補正の内容】
【特許請求の範囲】
【請求項１】
被検者にＸ線を照射するＸ線源と、このＸ線源と前記被検者を挟んで対向配置され前記被検者の透過Ｘ線を検出する面状のＸ線検出器と、該検出された透過Ｘ線における前記被検者の部位に対し所望の方向に合わせて前記Ｘ線検出器のＸ線入射面を含む面方向の回転位置を変える検出器位置制御手段と、を備えたことを特徴とするＸ線透視撮影装置。
【請求項２】 
前記Ｘ線検出器は長辺と短辺を有し、前記Ｘ線検出器によって検出された前記被検者の透過Ｘ線画像を画面表示する表示器と、前記Ｘ線検出器の面方向の回転位置と対応付けて前記表示器の画面を含む面方向の回転位置を変える表示器位置制御手段と、を備えたことを特徴とする請求項１又は２の何れかに記載のＸ線透視撮影装置。
【請求項３】 
前記Ｘ線検出器の長辺方向又は短辺方向の何れか一方の方向と前記被検者の部位に対し所望の方向とのなす角度を検出する角度検出手段と、該検出された角度に基づき前記表示器位置制御手段の回転位置を設定する表示器位置設定手段と、を備えたことを特徴とする請求項２に記載のＸ線透視撮影装置。
【手続補正書】
【提出日】平成18年1月22日(2006.1.22)
【手続補正１】
【補正対象書類名】明細書
【補正対象項目名】特許請求の範囲
【補正方法】変更
【補正の内容】
【特許請求の範囲】
【請求項１】
検体を供給するランセット部の開口部に穿刺針が位置し、センサが前記開口部近傍に位置され、押圧体によって穿刺針が駆動し、押圧体によってセンサが移動し検体を供給する機構を具備したランセット一体型測定装置。
【請求項２】
ランセット部は穿刺針を一定の距離で突出動作させる穿刺針発射機構部とセンサを移動させるセンサ移動機構部と穿刺針の突出およびセンサの移動を切り替える切り替え機構を有し、突出および移動操作は少なくとも一つの押圧体で行うことができる請求項１記載のランセット一体型測定装置。
【請求項３】
上記切り替え機構は、切り替え板を備えており、切り替え板を回転させることにより、押圧体が穿刺針発射機構部に作用する状態と、押圧体がセンサ移動機構部に作用する状態と、を選択できる、請求項２記載のランセット一体型測定装置。
【請求項４】
上記切り替え機構は、傾斜部を有するノブと、上記ノブの傾斜部に係合する傾斜部を有し、かつ上記切り替え板に一体化された回転体と、を有しており、上記ノブの傾斜部に沿って上記回転体の傾斜部を移動させることにより上記回転体とともに上記切り替え板を回転させる、請求項３記載のランセット一体型測定装置。
【請求項５】
上記押圧体は、穿刺針を一定の距離で突出動作させる穿刺針発射機構部に作用する第１押圧体と、センサを移動させるセンサ移動機構部に作用する第２押圧体と、を含んでいる、請求項２記載のランセット一体型測定装置。
【請求項６】
上記第１および第２押圧体は、これらの押圧体を区別するための押圧体ガイドを有している、請求項５記載のランセット一体型測定装置。
【請求項７】
上記センサ移動機構部は、センサを接続するソケット部と、ソケット部に連続するフレキシブルに形成された中空管と、を有している、請求項２ないし６のいずれかに記載のランセット一体型測定装置。
【手続補正２】
【補正対象書類名】明細書
【補正対象項目名】０００８
【補正方法】変更
【補正の内容】
【０００８】
【課題を解決するための手段】
上記課題を達成するため、本発明は、検体を供給するランセット部の開口部に穿刺針が位置し、センサが前記開口部近傍に位置され、押圧体によって穿刺針が駆動し、押圧体によってセンサが移動し検体を供給する機構を具備したランセット一体型測定装置である。さらに、ランセット部は穿刺針を一定の距離で突出動作させる穿刺針発射機構部とセンサを移動させるセンサ移動機構部と穿刺針の突出およびセンサの移動を切り替える切り替え機構を有し、突出および移動操作は少なくとも一つの押圧体で行うことができるランセット一体型測定装置である。切り替え機構は、たとえば切り替え板を備えており、切り替え板を回転させることにより、押圧体が穿刺針発射機構部に作用する状態と、押圧体がセンサ移動機構部に作用する状態と、を選択できる。切り替え機構は、たとえば傾斜部を有するノブと、上記ノブの傾斜部に係合する傾斜部を有し、かつ上記切り替え板に一体化された回転体と、を有するものとされ、上記ノブの傾斜部に沿って上記回転体の傾斜部を移動させることにより上記回転体とともに上記切り替え板を回転させるように構成される。押圧体は、穿刺針を一定の距離で突出動作させる穿刺針発射機構部に作用する第１押圧体と、センサを移動させるセンサ移動機構部に作用する第２押圧体と、を含んでいてもよい。第１および第２押圧体は、これらの押圧体を区別するための押圧体ガイドを有していてもよい。センサ移動機構部は、たとえばセンサを接続するソケット部と、ソケット部に連続するフレキシブルに形成された中空管と、を有している。
【手続補正３】
【補正対象書類名】明細書
【補正対象項目名】００１０
【補正方法】変更
【補正の内容】
【００１０】
（実施例１）図４は、ランセット部の内部を透視した本ランセット一体型測定装置の、測定待機状態の全体図を示している。ランセット一体型測定装置は、バネ部材２７を有する穿刺部１９とセンサ保持部２０が平行に保持されたランセット部を有しており、このランセット部の上部に上記穿刺部１９とセンサ保持部２０の切り替え板２１を有している。このランセット一体型測定装置の本体には、センサ２９によって検出された信号に基づいて、検体の濃度を演算する電子制御装置が内蔵されており、算出された特定物質の濃度を表示する表示部２２が設けられている。さらに、ランセット一体型体液測定装置の本体の上部には、上記穿刺部１９及びセンサ保持部２０を駆動させるための押圧体２３を有している。開口部２４は穿刺針２５の駆動位置にあわせて設定されている。穿刺部１９は穿刺針２５、支持棒２６及びバネ部材２７によって構成されており、前記支持捧２６は押圧体２３のプッシュで、押圧ロッド２８から切り替え板２１に伝えられた駆動力によってバネ部材２７中を上下運動できるようになっている。この場合のプッシュとは、ランセット一体型測定装置本体に設置した押圧体２３を押し込む行為をいう。センサ保持部２０は、ソケット部３０及び中空管３１によって構成されており、前記支持棒２６と同様上下運動を行えるようになっている。また、ランセット部は、キャップ４０を有しており、このキャップ４０は穿刺針２５及びセンサ２９の交換時に着脱可能になっている。
【手続補正４】
【補正対象書類名】明細書
【補正対象項目名】００１６
【補正方法】変更
【補正の内容】
【００１６】
（実施例２）図９は２つの押圧体を有するランセット一体型測定装置の全体図である。ランセット駆動用の押圧体３４と、センサ移動用押圧体３５に分離している。ランセット駆動用押圧体３４は穿刺針２５に結合した内部の支持棒２６に連結されており、内部の支持棒２６の周囲にはバネ部材２７を装着している。センサ移動用押圧体３５には、センサ移動用押圧ロッド２８が連結されている。押圧ロッド２８の先にはセンサ部２０が支持棒２６と平行に設置されている。また、ランセット駆動用押圧体３４とセンサ移動用押圧体３５には、それぞれを区別できるように突起状の押圧体ガイド３９が設けてある。これにより、暗いところでの測定及び全盲の測定者にとって使いやすいランセット一体型測定装置を提供することができる。
【手続補正５】
【補正対象書類名】図面
【補正対象項目名】全図
【補正方法】変更
【補正の内容】
【図１】
2000217804.tif 000001
【図２】
2000217804.tif 000002
【図３】
2000217804.tif 000003
【図４】
2000217804.tif 000004
【図５】
2000217804.tif 000005
【図６】
2000217804.tif 000006
【図７】
2000217804.tif 000007
【図８】
2000217804.tif 000008
【図９】
2000217804.tif 000009
【手続補正書】
【提出日】平成18年1月31日(2006.1.31)
【手続補正１】
【補正対象書類名】明細書
【補正対象項目名】０００１
【補正方法】変更
【補正の内容】
【０００１】
【発明の属する技術分野】
本発明は、背凭れ部から座部及び足載台にかけての全身をマッサージ可能にした椅子型マッサージ構造に関する。
【手続補正２】
【補正対象書類名】明細書
【補正対象項目名】００２２
【補正方法】変更
【補正の内容】
【００２２】
図中２２は、前記座部２の前方位置で、上下に出没自在に配備された足載台であり、該足載台２２の下部には振動機構やローリング機構の他揉み機構・叩き機構等の任意な駆動機構を配備することができる。
【手続補正３】
【補正対象書類名】明細書
【補正対象項目名】００２３
【補正方法】変更
【補正の内容】
【００２３】
前記ロングガイドレール３は前記背凭れ部１の両側或いは主枠部材１１に一定間隔を存して平行に配設されたものであり、該ロングガイドレール３は、上方が前記背凭れ部１と略同形状で下方の延長部３１が略直線的な棒状に形成され、該ロングガイドレール３の一対を前記背凭れ部１の両側上部と両側下部で一定間隔を存して固定部材１２で固定し、両ロングガイドレール３・３が前記背凭れ部１と同調して、背凭れ部１の倒伏時にロングガイドレール３の延長部３１が座部２の下部に入り込み、最終倒伏位置で該座部２下面或いは座部２の主枠部材２１と一定間隔を存して略平行になるようにしている。
【手続補正４】
【補正対象書類名】明細書
【補正対象項目名】００３２
【補正方法】変更
【補正の内容】
【００３２】
更に本発明は、上記のように構成しているため、背凭れ部を最終倒伏位置に倒伏させた状態では、ロングガイドレールの延長部が座部２の下部に入り込み、該背凭れ部の倒伏角度を検知して、従来と同様の背中部分のマッサージに加え、従来のものではマッサージし得ない、腰部下部及び尻部上部、更に大腿部及び尻部の広範囲を振動機構やローリング機構の他揉み機構・叩き機構等による適格なマッサージを行う事ができると共に、座部の下面部の尻部及び膝下部に亘る広範囲を、これに連続して、振動機構やローリング機構の他揉み機構・叩き機構等の任意の機能による適格なマッサージを行うことができる。
【手続補正書】
【提出日】平成17年11月17日(2005.11.17)
【手続補正１】
【補正対象書類名】明細書
【補正対象項目名】特許請求の範囲
【補正方法】変更
【補正の内容】
【特許請求の範囲】
【請求項１】
撮像レンズを含む撮像部と表示部を含む本体部とが互いに回動可能に接続された電子撮像装置において、
選択可能に表現された前記電子撮像装置の実行可能な複数の機能を前記表示部に表示し、ユーザによる前記撮像部の回動操作に基づいて前記選択可能な機能を択一的に差別表示することにより、前記択一的に差別的表示される機能を選択可能にしたことを特徴とする選択方法。
【請求項２】 
撮像レンズを含む撮像部と撮像画像を保存記録すると共に再生された記録画像を表示する表示部を含む本体部とが互いに回動可能に接続された電子撮像装置において、
前記表示部に前記記録画像を再生して表示し、ユーザによる前記撮像部の回動操作に基づいて現在表示されている画像の前画像或いは次画像を再生して表示することにより、記録画像の中から所望の画像を表示可能にしたことを特徴とする選択方法。
【請求項３】 
撮像レンズを含む撮像部と撮像画像を保存記録すると共に再生された記録画像を表示する表示部を含む本体部とが互いに回動可能に接続された電子撮像装置において、
前記表示部に複数の記録画像を表示し、ユーザによる前記撮像部の回動操作に基づいて前記複数の記録画像のうちの所望の１つ或いは複数の画像を差別表示することにより、前記差別的に表示された画像を選択可能にしたことを特徴とする選択方法。
【請求項４】
撮像レンズを含む撮像部と表示部を含む本体部とが互いに回動可能に接続された電子撮像装置において、
前記電子撮像装置の実行可能な機能を表現した複数の機能選択用情報を前記表示部に表示する表示手段と、
前記撮像部の回動状態を検出する回動状態検出手段と、
前記回動状態検出手段によって前記撮像部の回動状態が検出されたとき、前記表示部に表示された機能選択用情報を択一的に差別表示する表示制御手段と、
前記択一的に差別的表示される機能を選択指示する機能選択指示手段を備えることを特徴とする電子撮像装置。
【請求項５】 
撮像レンズを含む撮像部と撮像画像を保存記録すると共に再生された記録画像を表示する表示部を含む本体部とが互いに回動可能に接続された電子撮像装置において、
前記撮像部の回動状態を検出する回動状態検出手段と、
前記記録画像を再生して前記表示部に表示する画像再生手段と、
前記回動状態検出手段によって前記撮像部の回動状態が検出されたとき、前記画像再生手段により現在表示されている画像の次画像又は前画像を再生させ、前記表示部に表示させる表示制御手段と、
を備えたことを特徴とする電子撮像装置。
【請求項６】 
撮像レンズを含む撮像部と撮像画像を保存記録すると共に再生された記録画像を表示する表示部を含む本体部とが互いに回動可能に接続された電子撮像装置において、
前記撮像部の回動状態を検出する回動状態検出手段と、
前記保存記録画像を複数個再生して前記表示部に同時に表示する画像再生手段と、
前記回動状態検出手段により検出された前記撮像部の回動状態に基づいて前記表示部に表示される複数の記録画像のうち、所望の１つの画像或いは複数の画像を差別表示する表示制御手段と、
前記表示部に差別表示された記録画像の選択を指示する画像選択指示手段を備えたことを特徴とする電子撮像装置。
【請求項７】 
前記表示制御手段は、前記回動状態検出手段により検出された前記撮像部の回動回数、回動時間または回動角度に応じて表示制御を行うことを特徴とする請求項４乃至６のいずれか１項に記載の電子撮像装置。
【請求項８】
撮像レンズを含む撮像部と該表示部を含む本体部とが互いに回動可能に接続されることにより該撮像部と該表示部との角度を少なくとも第１の角度から第２の角度まで任意に変化させることが可能な回転手段を備え、該撮像部で撮像される画像を該表示部に表示させることにより該表示部を撮影時のファインダとして機能させた状態で前記回転手段を機能させることが可能な電子撮像装置において、
前記表示部を撮影時のファインダとして機能させていない状態において、前記回転手段によって変化させられた前記撮像部と前記表示部との角度を検出する検出ステップと、
前記検出ステップにより検出された角度が、予め前記第１の角度から前記第２の角度の間に割り当てられている角度のいずれかであるかを判断する判断ステップと、
選択可能な複数の指示操作のうち、前記判断ステップにより判断された角度に対応して予め決められている指示操作を選択する選択ステップと、
を前記電子撮像装置に実行させることを特徴とする選択方法。
【請求項９】
撮像レンズを含む撮像部と該表示部を含む本体部とが互いに回動可能に接続されることにより該撮像部と該表示部との角度を少なくとも第１の角度から第２の角度まで任意に変化させることが可能な回転手段を備え、該撮像部で撮像される画像を該表示部に表示させることにより該表示部を撮影時のファインダとして機能させた状態で前記回転手段を機能させることが可能な電子撮像装置において、
前記回転手段により変化させることが可能な前記第１の角度から前記第２の角度の間にある複数の角度の各々に対して、前記電子撮像装置に対する異なる指示操作を割り当てる割当手段と、
前記表示部を撮影時のファインダとして機能させていない状態において、前記回転手段によって前記撮像部と前記表示部との角度が変化させられた場合は、変化後の角度に対応して前記割当手段により割り当てられている指示操作を実行させる制御手段と、
を備えることを特徴とする電子撮像装置。
【手続補正書】
【提出日】平成18年1月25日(2006.1.25)
【手続補正１】
【補正対象書類名】明細書
【補正対象項目名】特許請求の範囲
【補正方法】変更
【補正の内容】
【特許請求の範囲】
【請求項１】  動画像または静止画像を記録可能な撮像装置であって、
撮像光学系等を含む撮像手段と、
前記撮像手段で得られた画像信号を記録する記録手段と、
少なくとも１画面分の画像を記憶可能な記憶手段と、
前記記憶手段に記憶された画像に対する前記撮像手段によって得られる画像の動きを検出する動き検出手段と、
前記記憶手段に記憶された画像と前記撮像手段によって得られる画像を比較する画像比較手段とを備えた撮像装置において、
前記撮像手段の動きに合わせて動き方向を指示する機構を備えることを特徴とする撮像装置。
【請求項２】  動画像または静止画像を記録可能な撮像装置における撮像方法であって、
静止画像を取り込んだ後に前記撮像装置を水平あるいは垂直に回転させ、この撮像装置の動きに伴って自動的に画像の繋がり点を検出し、つぎの画像を取り込み、その画像を元に順次繋がり点を検出することにより、複数の静止画像を元にしたパノラマ画像を撮影する撮像方法において、
前記撮像装置の動きに合わせて動き方向を指示するようにしたことを特徴とする撮像方法。
【請求項３】  請求項２に記載の撮像方法において、
前記撮像装置の予定の動き方向に対して異なる方向に前記撮像装置を動かした場合は、それを補正する方向に動き方向を指示するようにしたことを特徴とする撮像方法。
【請求項４】  請求項２に記載の撮像方法において、
最初の画像を取り込んだ後につぎの画像を得るために前記撮像装置を動かした最初の動きによって、動きの指示方向が決定されることを特徴とする撮像方法。
【手続補正２】
【補正対象書類名】明細書
【補正対象項目名】０００６
【補正方法】変更
【補正の内容】
【０００６】
【課題を解決するための手段】
本発明による撮像装置は、動画像または静止画像を記録可能な撮像装置であって、撮像光学系等を含む撮像手段と、前記撮像手段で得られた画像信号を記録する記録手段と、少なくとも１画面分の画像を記憶可能な記憶手段と、前記記憶手段に記憶された画像に対する前記撮像手段によって得られる画像の動きを検出する動き検出手段と、前記記憶手段に記憶された画像と前記撮像手段によって得られる画像を比較する画像比較手段とを備えた撮像装置において、前記撮像手段の動きに合わせて動き方向を指示する機構を備えることを特徴とする。
【手続補正３】
【補正対象書類名】明細書
【補正対象項目名】０００７
【補正方法】変更
【補正の内容】
【０００７】
また、本発明による撮像方法は、動画像または静止画像を記録可能な撮像装置における撮像方法であって、静止画像を取り込んだ後に前記撮像装置を水平あるいは垂直に回転させ、この撮像装置の動きに伴って自動的に画像の繋がり点を検出し、つぎの画像を取り込み、その画像を元に順次繋がり点を検出することにより、複数の静止画像を元にしたパノラマ画像を撮影する撮像方法において、前記撮像装置の動きに合わせて動き方向を指示するようにしたことを特徴とする。
【手続補正４】
【補正対象書類名】明細書
【補正対象項目名】０００８
【補正方法】変更
【補正の内容】
【０００８】
また、本発明の撮像方法において、前記撮像装置の予定の動き方向に対して異なる方向に前記撮像装置を動かした場合は、それを補正する方向に動き方向を指示するようにしたことを特徴とする。
【手続補正５】
【補正対象書類名】明細書
【補正対象項目名】０００９
【補正方法】変更
【補正の内容】
【０００９】
また、本発明の撮像方法において、最初の画像を取り込んだ後につぎの画像を得るために前記撮像装置を動かした最初の動きによって、動きの指示方向が決定されることを特徴とする。
【手続補正書】
【提出日】平成18年5月29日(2006.5.29)
【手続補正１】
【補正対象書類名】明細書
【補正対象項目名】特許請求の範囲
【補正方法】変更
【補正の内容】
【特許請求の範囲】
【請求項１】
所望の番組を選択する選択手段と、
上記選択された番組の付加データ中の番組説明情報に基づいて番組説明画面を生成する番組説明画面生成手段と、
上記選択された上記番組のディジタルコンテンツデータと付加データとが多重化されたデータストリームを、所定の記録再生装置で記録するために送信すると共に、当該記録再生装置において再生されたデータストリームを受信する送受信手段と、
上記送受信手段において受信した付加データ中の番組説明情報を上記番組説明画面生成手段に供給する供給手段と
を具え、
上記送受信手段において受信したデータストリームを処理中であって、かつ上記番組説明画面生成手段が再生時に表示するための再生番組説明画面の表示処理を行う場合には、上記記録再生装置の再生時に関係のない情報を省くようにした
ことを特徴とする番組受信装置。
【請求項２】
上記送受信手段を介して受信したデータストリームを処理中であって、かつ上記番組説明画面生成手段が上記再生番組説明画面の表示処理を行う場合には、当該再生番組説明画面の所定位置に再生画面であることを示す情報を表示する
ことを特徴とする請求項１に記載の番組受信装置。
【請求項３】
上記番組説明画面生成手段は、上記再生番組説明画面の所定位置に上記番組を提供している提供事業者を識別する情報を表示する
ことを特徴とする請求項１に記載の番組受信装置。
【請求項４】
上記ディジタルコンテンツデータは、少なくともオーディオデータを含む
ことを特徴とする請求項１に記載の番組受信装置。
【請求項５】
上記番組説明画面は、受信している映像にスーパーインポーズされて表示され、上記再生番組説明画面は再生中の映像にスーパーインポーズされて表示される
ことを特徴とする請求項１に記載の番組受信装置。
【請求項６】
所望の番組を選択する選択部と、上記選択された番組の付加データ中の番組説明情報に基づいて番組説明画面を生成する番組説明画面生成部と、上記選択された上記番組のディジタルコンテンツデータと付加データとが多重化されたデータストリームを、所定の記録再生装置で記録するために送信すると共に、当該記録再生装置において再生されたデータストリームを受信する送受信部とを具えた受信機における番組説明画面の表示処理方法であって、
上記送受信部において受信した付加データ中の番組説明情報を上記番組説明画面生成部に供給し、
上記送受信部を介して受信したデータストリームを処理中であって、かつ上記番組説明画面生成部が再生時に表示するための再生番組説明画面の表示処理を行う場合には、上記記録再生装置の再生時に関係のない情報を省くようにした
ことを特徴とする番組説明画面の表示処理方法。
【請求項７】
上記送受信部を介して受信したデータストリームを処理中であって、かつ上記番組説明画面生成部が上記再生番組説明画面の表示処理を行う場合には、当該再生番組説明画面の所定位置に再生画面であることを示す情報を表示する
ことを特徴とする請求項６に記載の番組説明画面の表示処理方法。
【請求項８】
上記番組説明画面生成部は、上記再生番組説明画面の所定位置に上記番組を提供している提供事業者を識別する情報を表示する
ことを特徴とする請求項６に記載の番組説明画面の表示処理方法。
【請求項９】
上記ディジタルコンテンツデータは、少なくともオーディオデータを含む
ことを特徴とする請求項６に記載の番組説明画面の表示処理方法。
【請求項１０】
上記番組説明画面は、受信している映像又は再生中の映像にスーパーインポーズされて表示され、上記再生番組説明画面は、再生中の映像にスーパーインポーズされて表示される
ことを特徴とする請求項６に記載の番組説明画面の表示処理方法。
【手続補正書】
【提出日】平成17年11月14日(2005.11.14)
【手続補正１】
【補正対象書類名】明細書
【補正対象項目名】発明の名称
【補正方法】変更
【補正の内容】
【発明の名称】リニアモータおよびそれを用いたテーブル送り装置
【手続補正２】
【補正対象書類名】明細書
【補正対象項目名】特許請求の範囲
【補正方法】変更
【補正の内容】
【特許請求の範囲】
【請求項１】交互に極性が異なる複数の界磁用の永久磁石を隣り合わせに並べて固定子を構成する界磁ヨークと、前記永久磁石列と直角方向に磁気的空隙を介して対向すると共に、略長方形状に打ち抜いた電磁鋼板の両側面に形成してなる巻線収納溝と凹凸状の係合部を有し、かつこの電磁鋼板を積層した電機子コアと、前記電機子コアの巻線収納溝に整列巻きして収納した電機子巻線と、前記電機子巻線を巻装した複数の電機子コアの係合部を係合して構成する電機子と、前記電機子の上面に固定された移動子を構成する電機子取付板とを備え、前記電機子を前記永久磁石列の長手方向に向かって走行するようにしたリニアモータにおいて、
前記電機子コアは、略Ｔ字形と略Ｉ字形の形状からなるそれぞれ大小異なる第１電機子コアおよび第２電機子コアから構成してあり、前記第１電機子コアは、前記電機子取付板との対向面側に形成されたアリ溝と、前記アリ溝に挿入され、かつタップ孔を内部に有する結合部材とが設けてあり、前記電機子取付板は、前記結合部材に設けたタップ孔と対向するように同一径に形成してなる孔部が設けてあり、前記結合部材のタップ孔と前記電機子取付板の孔部をボルトネジにより締め付け固定し、前記電機子巻線および前記電機子コアの全体を覆うようにモールド樹脂により固着してあることを特徴とするリニアモータ。
【請求項２】前記アリ溝に挿入された結合部材と前記電機子取付板とを一体化したことを特徴とする請求項１に記載のリニアモータ。
【請求項３】前記電機子取付板の内部に、前記電機子から発生した熱を熱交換するように冷媒を流す冷媒通路を設けたことを特徴とする請求項１または２に記載のリニアモータ。
【請求項４】請求項１〜３までの何れか１項に記載のリニアモータによって駆動されることを特徴とするテーブル送り装置。
【手続補正３】
【補正対象書類名】明細書
【補正対象項目名】０００１
【補正方法】変更
【補正の内容】
【０００１】
【発明の属する技術分野】
本発明は、工作機等のテーブル送りに利用されるフラット形のリニアモータおよびそれを用いたテーブル送り装置に関する。
【手続補正４】
【補正対象書類名】明細書
【補正対象項目名】０００３
【補正方法】変更
【補正の内容】
【０００３】
【発明が解決しようとする課題】
ところが、このような従来のいわゆる磁束貫通形のリニアモータは、電機子取付板と電機子コアの結合に溶接が用いられているため、溶接時に熱変形が生じ、その結果、機械寸法の歪みや、磁気歪みの影響によりコギング推力が増大して、モータ特性が悪くなるという問題があった。
そこで、本発明は、製造時に電機子取付板が熱変形することなく、コギング推力の発生を抑えることができるリニアモータおよびそれを用いたテーブル送り装置を提供することを目的とする。
【手続補正５】
【補正対象書類名】明細書
【補正対象項目名】０００４
【補正方法】変更
【補正の内容】
【０００４】
【課題を解決するための手段】
上記問題を解決するため、請求項１記載の本発明は、交互に極性が異なる複数の界磁用の永久磁石を隣り合わせに並べて固定子を構成する界磁ヨークと、前記永久磁石列と直角方向に磁気的空隙を介して対向すると共に、略長方形状に打ち抜いた電磁鋼板の両側面に形成してなる巻線収納溝と凹凸状の係合部を有し、かつこの電磁鋼板を積層した電機子コアと、前記電機子コアの巻線収納溝に整列巻きして収納した電機子巻線と、前記電機子巻線を巻装した複数の電機子コアの係合部を係合して構成する電機子と、前記電機子の上面に固定された移動子を構成する電機子取付板とを備え、前記電機子を前記永久磁石列の長手方向に向かって走行するようにしたリニアモータにおいて、前記電機子コアは、略Ｔ字形と略Ｉ字形の形状からなるそれぞれ大小異なる第１電機子コアおよび第２電機子コアから構成してあり、前記第１電機子コアは、前記電機子取付板との対向面側に形成されたアリ溝と、前記アリ溝に挿入され、かつタップ孔を内部に有する結合部材とが設けてあり、前記電機子取付板は、前記結合部材に設けたタップ孔と対向するように同一径に形成してなる孔部が設けてあり、前記結合部材のタップ孔と前記電機子取付板の孔部をボルトネジにより締め付け固定し、前記電機子巻線および前記電機子コアの全体を覆うようにモールド樹脂により固着したものである。
また、請求項２記載の本発明は、請求項１に記載のリニアモータにおいて、前記アリ溝に挿入された結合部材と前記電機子取付板とを一体化したものである。
また、請求項３記載の本発明は、請求項１または２に記載のリニアモータにおいて、前記電機子取付板の内部に、前記電機子から発生した熱を熱交換するように冷媒を流す冷媒通路を設けたものである。
また、請求項４記載の本発明は、請求項１〜３までの何れか１項に記載のリニアモータによって駆動されるテーブル送り装置を特徴としたものである。
上記手段により、電機子取付板と電機子間の固定に溶接を用いることなく、両部材間を、電機子コアに設けたアリ溝に挿入した結合部材を介してボルトネジにより締め付け固定し、かつ電機子全体をモールド樹脂により固着したので、従来に比べて強固に接合し固定することができ、電機子取付板の変形を防止することができる。その結果、機械寸法の歪みや、磁気歪みの影響によるコギング推力の発生を抑えることができ、モータ特性への悪影響を低減できる。
【手続補正書】
【提出日】平成18年1月25日(2006.1.25)
【手続補正１】
【補正対象書類名】明細書
【補正対象項目名】特許請求の範囲
【補正方法】変更
【補正の内容】
【特許請求の範囲】
【請求項１】
電流フィードバック制御ループを有してインバータ主回路のスイッチング素子に駆動信号を供給して、電動機の電流を制御する制御回路において、
前記電動機の電流検出点から該検出電流のフィードバック信号を電流指令に加算する加算点までの後ろ向きループの信号導電部分と、
前記加算点から前記駆動信号が供給されるスイッチング素子までの前向きループの信号導電部分とを、
外部の雰囲気に触れることなく封じたことを特長とする電流制御回路。
【請求項２】
前記電流フィードバック制御ループを構成する電流制御系には前記電流指令の大きさを制限する電流リミッタ回路が設けられ、該電流リミッタ回路と前記後ろ向きループの信号導電部分および前記前向きループの信号導電部分とを外部の雰囲気に触れることなく封じたことを特長とする請求項１記載の電流制御回路。
【請求項３】
電流フィードバック制御ループを有しスイッチング素子を駆動する信号を供給する電流制御回路において、
電流フィードバック信号を電流指令に加算する加算点までの信号部分と、
前記加算点から前記スイッチング素子の駆動信号部分までの信号部分とを、
外部の雰囲気に触れることなく封じたことを特長とする電流制御回路。
【請求項４】
電流フィードバック制御ループを有してインバータ主回路のスイッチング素子に駆動信号を供給して、電動機の電流を制御するインバータ制御装置において、
前記電動機の電流検出点から該検出電流のフィードバック信号を電流指令に加算する加算点までの後ろ向きループの信号導電部分と、
前記加算点から前記駆動信号が供給されるスイッチング素子までの前向きループの信号導電部分とを、
外部の雰囲気に触れることなく封じ、前記位置、または速度フィードバック制御ループを構成する部位に第１のマイクロプロセッサと、
前記電流フィードバック制御ループを構成する部位に第２のマイクロプロセッサと、
前記第１、第２のそれぞれのマイクロプロセッサに独立して供給するシステムクロック信号を持ち、前記電動機の磁極位置検出器からの磁極位置データおよび回転位置検出器からの回転位置データを前記第１のマイクロプロセッサにフィードバックするように構成し、前記第１のマイクロプロセッサから前記第２のマイクロプロセッサへシリアル通信により前記電流指令および前記磁極位置データを伝送または転送し、前記第２のマイクロプロセッサでの前記磁極位置データは、前記第１のマイクロプロセッサからの前回の磁極位置データと、
今回の磁極位置データの間を補間で求めて磁極位置を演算することを特長とするインバータ制御装置。
【請求項５】
電流フィードバック制御ループを有してインバータ主回路のスイッチング素子に駆動信号を供給して、電動機の電流を制御するインバータ装置において、
電動機電流の検出点から、該検出電流のフィードバック信号を極性反転して電流指令信号に加算する加算点までの後ろ向きループと、
前記加算点から前記駆動信号が供給されるスイッチング素子までの前向きループと、
少なくとも前記スイッチング素子とダイオードを逆方向に並列接続した逆並列回路を２回路直列に接続した１相アームを、多相アーム並列接続したインバータ主回路と、
前記電流指令を制限する電流リミッタ回路と、
前記電流指令の入力部分で電気的に絶縁して信号を伝送する絶縁素子とを、
パワーモジュールに内蔵したことを特長とするインバータ装置。
【請求項６】
位置、または速度フィードバック制御ループを構成する部位に第１のマイクロプロセッサと、
電流フィードバック制御ループを構成する部位に第２のマイクロプロセッサと、前記第１、第２のそれぞれのマイクロプロセッサに独立して供給するシステムクロック信号を持ち、電動機の磁極位置検出器からの磁極位置データ、または回転位置検出器からの回転位置データを第１のマイクロプロセッサにフィードバックし、第１のマイクロプロセッサから第２のマイクロプロセッサへシリアル通信により電流指令および前記磁極位置データを転送するように構成したことを特長とする請求項５記載のインバータ装置。
【請求項７】
電流指令に一致するように電動機の電流を制御する電流制御系を有し、該電流制御系の信号に基づいてスイッチング素子を駆動するように構成されたインバータ装置において、
前記インバータの出力に接続された電動機の電流検出点から、該検出電流のフィードバック信号を極性反転して加算する加算点までの後ろ向きループと、前記加算点から前記駆動信号が供給されるスイッチング素子までの前向きループと、
少なくともスイッチング素子とダイオードを逆方向に並列接続した逆並列回路を２回路直列に接続した１相アームを、多相アーム並列接続したインバータ主回路と、電流指令を制限する電流リミッタ回路と、
前記電流指令の入力部分で電気的に絶縁して信号を伝送する絶縁素子とを、
共にパワーモジュールに内蔵して封じたことを特長とするインバータ装置。
【請求項８】
直流又は交流を受電しスイッチング素子を駆動制御することにより任意の電圧の直流又は任意の電圧と周波数を有する交流に変換する主回路と、電流指令に基づいて前記主回路に流れる電流を制御する電流フィードバック制御ループとを備えた電力変換装置において、
電流フィードバック信号を前記電流指令に加算する加算点までの後ろ向きループと、
前記加算点から前記スイッチング素子の駆動信号部分までの前向きループと、
前記主回路とを、樹脂でモールドしたことを特長とする電力変換装置。
【手続補正書】
【提出日】平成17年11月14日(2005.11.14)
【手続補正１】
【補正対象書類名】明細書
【補正対象項目名】００２９
【補正方法】変更
【補正の内容】
【００２９】
実施例４
実施例３においてトレハロース６０ｇをトレハロース４０ｇとし、更にゼラチン分解物２０ｇを加えた以外は実施例３と同様に処理してメントール粉末香料９５ｇ（本発明品４）を得た
比較例３
実施例３において水１００ｇを１５０ｇに変え、そして水溶性ヘミセルロース２０ｇ及びトレハロース６０ｇの代わりにアラビアガム８０ｇを用いる以外は実施例３と同様に処理してメントール粉末香料９０ｇ（比較品３）を得た。